(57)【要約】【課題】機器自体の設置スペースをできるだけ小さくすることができ、且つ機器の内部への水の浸入を抑制することが可能な技術を提供する。【解決手段】電子装置Ｅを所定の壁面Ｗに取り付けて支持する電子装置Ｅの支持構造１は、電子装置Ｅの上方から電子装置Ｅを支持する上ブラケット１０を備える。上ブラケット１０は、電子装置Ｅの上面の少なくとも一部に覆い被さる遮蔽部１７を有する。【選択図】図４
2018182164.tif 000002
【特許請求の範囲】
【請求項１】
機器を所定の設置場所に取り付けて支持する機器の支持構造において、
前記機器を支持する上ブラケットを備え、
前記上ブラケットが、前記機器の上面の少なくとも一部に覆い被さる遮蔽部を有することを特徴とする機器の支持構造。
【請求項２】
前記上ブラケットが、
前記設置場所に接して固定される上着座部と、
前記機器が取り付けられる上支持部と、
前記上着座部から前記上支持部まで延びる上ベース部と、
を有し、
前記上ベース部は、前記上着座部側に水平に対して傾斜する溝状部を有することを特徴とする請求項１に記載の機器の支持構造。
【請求項３】
前記上ベース部及び前記遮蔽部は、上面が平面を成すとともに水平に対して傾斜することを特徴とする請求項１または請求項２に記載の機器の支持構造。
【請求項４】
前記上ベース部及び前記遮蔽部の少なくとも一方が、外縁部に上方に向かって延びるリブを有することを特徴とする請求項１から請求項３のいずれかに記載の機器の支持構造。
【請求項５】
前記上ベース部が、開口部を有することを特徴とする請求項１から請求項４のいずれかに記載の機器の支持構造。
【請求項６】
前記機器の下方から前記機器を支持する下ブラケットを備え、
前記下ブラケットが、
前記設置場所に接して固定される下着座部と、
前記機器が取り付けられる下支持部と、
前記下着座部から前記下支持部まで延びる下ベース部と、
を有し、
前記下ベース部は、前記開口部に対応する位置に配置されることを特徴とする請求項１から請求項５のいずれかに記載の機器の支持構造。
【請求項７】
前記下ベース部は、上面が平面を成すとともに水平に対して傾斜することを特徴とする請求項６に記載の機器の支持構造。
【請求項８】
前記下ベース部が、外縁部に上方に向かって延びるリブを有することを特徴とする請求項６または請求項７に記載の機器の支持構造。
【請求項９】
前記上ブラケットと前記下ブラケットとの間の前記機器の外面に設けられ、上方から下方に向かって延びる導水路を有する導水部材を備えることを特徴とする請求項１から請求項８のいずれかに記載の機器の支持構造。
【発明の詳細な説明】
【技術分野】
【０００１】
本発明は、機器の支持構造に関する。
【背景技術】
【０００２】
電子装置などの機器は上方から滴下する水等の液体を被ったり、液体が内部に浸入したりすることを防止する必要がある。このため、機器への水の滴下、浸入を防止する従来技術の例が特許文献１から３に開示されている。これらの従来技術では、水の滴下、浸入を防止したい機器の領域の上方に、水平に対して傾斜した防滴庇、リブまたは隔壁が設けられる。これらの防滴庇、リブまたは隔壁の上面に滴下した水は傾斜によって機器の外部へと導かれる。
【先行技術文献】
【特許文献】
【０００３】
【特許文献１】特開平８−２００８２９号公報
【特許文献２】特開平１１−２３３９５５号公報
【特許文献３】特開２０１４−１０３７９７号公報
【発明の概要】
【発明が解決しようとする課題】
【０００４】
しかしながら、上記従来技術は機器のケースに水平に対して傾斜した防滴庇、リブまたは隔壁が設けられるので、機器自体のサイズが大きくなる虞があることが課題であった。これにより、機器自体の設置スペースを比較的大きく確保する必要があることが懸念された。
【０００５】
本発明は、上記の課題に鑑みなされたものであり、機器自体の設置スペースをできるだけ小さくすることができ、且つ機器の内部への水の浸入を抑制することが可能な技術を提供することを目的とする。
【課題を解決するための手段】
【０００６】
本発明に係る機器の支持構造は、機器を所定の設置場所に取り付けて支持する機器の支持構造において、前記機器を支持する上ブラケットを備え、前記上ブラケットが、前記機器の上面の少なくとも一部に覆い被さる遮蔽部を有する構成（第１の構成）である。
【０００７】
また、上記第１の構成の機器の支持構造において、前記上ブラケットが、前記設置場所に接して固定される上着座部と、前記機器が取り付けられる上支持部と、前記上着座部から前記上支持部まで延びる上ベース部と、を有し、前記上ベース部は、前記上着座部側に水平に対して傾斜する溝状部を有する構成（第２の構成）であっても良い。
【０００８】
また、上記第１または第２の構成の機器の支持構造において、前記上ベース部及び前記遮蔽部は、上面が平面を成すとともに水平に対して傾斜する構成（第３の構成）であっても良い。
【０００９】
また、上記第１から第３の構成の機器の支持構造において、前記上ベース部及び前記遮蔽部の少なくとも一方が、外縁部に上方に向かって延びるリブを有する構成（第４の構成）であっても良い。
【００１０】
また、上記第１から第４の構成の機器の支持構造において、前記上ベース部が、開口部を有する構成（第５の構成）であっても良い。
【００１１】
また、上記第１から第５の構成の機器の支持構造において、前記機器の下方から前記機器を支持する下ブラケットを備え、前記下ブラケットが、前記設置場所に接して固定される下着座部と、前記機器が取り付けられる下支持部と、前記下着座部から前記下支持部まで延びる下ベース部と、を有し、前記下ベース部は、前記開口部に対応する位置に配置される構成（第６の構成）であっても良い。
【００１２】
また、上記第６の構成の機器の支持構造において、前記下ベース部は、上面が平面を成すとともに水平に対して傾斜する構成（第７の構成）であっても良い。
【００１３】
また、上記第６または第７の構成の機器の支持構造において、前記下ベース部が、外縁部に上方に向かって延びるリブを有する構成（第８の構成）であっても良い。
【００１４】
また、上記第１から第８の構成の機器の支持構造において、前記上ブラケットと前記下ブラケットとの間の前記機器の外面に設けられ、上方から下方に向かって延びる導水路を有する導水部材を備える構成（第９の構成）であっても良い。
【発明の効果】
【００１５】
本発明の構成によれば、機器を所定の設置場所に取り付けて支持する機器の支持構造において、水の滴下、浸入を防止したい機器の領域の上方にブラケットの遮蔽部を設けることができる。すなわち、機器自体に、水の浸入を抑制するための庇、リブ、隔壁等を設ける必要が無い。したがって、機器自体の設置スペースをできるだけ小さくすることができ、且つ機器の内部への水の浸入を抑制することが可能になる。
【図面の簡単な説明】
【００１６】
【図１】第１実施形態の機器の支持構造を示す正面図である。
【図２】第１実施形態の機器の支持構造を示す上面図である。
【図３】第１実施形態の機器の支持構造を示す側面図である。
【図４】第１実施形態の機器の支持構造を示す部分斜視図である。
【図５】第１実施形態の機器の支持構造を示す部分断面斜視図である。
【図６】第２実施形態の機器の支持構造を示す部分斜視図である。
【図７】第３実施形態の機器の支持構造を示す側面図である。
【図８】第３実施形態の機器の支持構造を示す部分斜視図である。
【図９】第４実施形態の機器の支持構造を示す側面図である。
【図１０】第４実施形態の機器の支持構造を示す部分斜視図である。
【発明を実施するための形態】
【００１７】
以下、本発明の例示的な実施形態について、図面を参照しながら詳細に説明する。なお、本発明は以下の内容に限定されるものではない。
【００１８】
＜１．第１実施形態＞
図１は、第１実施形態の機器の支持構造１を示す正面図である。図２は、機器の支持構造１を示す上面図である。図３は、機器の支持構造１を示す側面図である。図４は、機器の支持構造１を示す部分斜視図である。図５は、機器の支持構造１を示す部分断面斜視図である。なお、図１、図３、図４及び図５における上下方向が、設置状態にある機器（電子装置Ｅ）の支持構造１の上下方向である。また、以下の実施形態においては、上方向とは鉛直上向きであり、下方向とは鉛直下向きである。また、図１及び図２における左右横方向が、設置状態にある機器（電子装置Ｅ）の支持構造１の横方向である。
【００１９】
機器の支持構造１は、図１、図２及び図３に示す上ブラケット１０及び下ブラケット２０を備える。支持構造１は機器である電子装置Ｅを所定の設置場所（壁面Ｗ）に取り付けて支持する。
【００２０】
電子装置Ｅは、例えば車両の電子制御ユニット（ＥＣＵ：Electronic Control Unit）であって、比較的扁平な箱型の外装を有する。電子装置Ｅは箱型を成す外装であるカバー部材Ｃ及びシャーシＳの内部に電子基板Ｂを備える。電子装置Ｅは、図２及び図３に示すように車両の壁面Ｗに上ブラケット１０及び下ブラケット２０を介して取り付けられる。機器の支持構造１は電子装置Ｅの内部に設けられた電子基板Ｂが、図３に示すように垂直を成して設置される。これにより、横方向（水平方向）における設置スペースをできるだけ小さくすることができる。
【００２１】
上ブラケット１０は電子装置Ｅの上方から電子装置Ｅを支持する。上ブラケット１０は、例えば板金のプレス加工によって形成される。上ブラケット１０は上着座部１１、上支持部１２及び上ベース部１３を備える。
【００２２】
上着座部１１は設置場所の壁面Ｗに隣接する上ブラケット１０の端部に設けられる。上着座部１１は、図１に示すように正面から見て横方向の略中央部に配置される。上着座部１１は壁面Ｗと対向する平面に固定孔１１ａを備える。上着座部１１は不図示のネジが固定孔１１ａに挿入され、設置場所の壁面Ｗに接して固定される。
【００２３】
上支持部１２は電子装置Ｅに隣接する上ブラケット１０の端部に設けられる。上支持部１２は、図１に示すように正面から見て横方向の２箇所に所定間隔で配置される。２箇所の上支持部１２は各々、上ベース部１３に対して略直角に折れ曲がり、電子装置Ｅの一面と対向して平行に、下方に向かって所定長さで延びる。上支持部１２にはネジ２を用いて電子装置Ｅが取り付けられる。
【００２４】
上ベース部１３は上着座部１１から上支持部１２まで延びる平板状に構成される。上ベース部１３はその外形が、図２に示すように上方から見て、横方向の略中央部の上着座部１１から所定間隔で並ぶ２箇所の上支持部１２まで延びる略三角形状を有する。上ベース部１３は上面が平面を成す。さらに、上ベース部１３の上面は水平に対して、上着座部１１側から上支持部１２側に向かって下がる形で傾斜する。
【００２５】
上ベース部１３は、図４及び図５に示すリブ１４、開口部１５、溝状部１６及び遮蔽部１７を備える。
【００２６】
リブ１４は上ベース部１３の外縁部の一部に設けられる。リブ１４は所定の高さまで上方に向かって延びる。
【００２７】
開口部１５は上方から見て略三角形状である上ベース部１３の中央部に設けられる。開口部１５は上方から見て略三角形状に構成され、上ベース部１３を上下方向に貫通する。なお、上方から見た開口部１５の投影領域は、壁面Ｗと対向する電子装置ＥのシャーシＳの外面よりも壁面Ｗに近い側に位置する。
【００２８】
溝状部１６は上ベース部１３の上着座部１１側に設けられる。溝状部１６は上ベース部１３の上着座部１１との隣接箇所から開口部１５まで延びる。溝状部１６は上ベース部１３の上面から下方に向かって窪む。さらに、溝状部１６の内底部は水平に対して、上着座部１１側から開口部１５側に向かって下がる形で傾斜する。
【００２９】
遮蔽部１７は上ベース部１３の上支持部１２側の縁部に設けられる。遮蔽部１７は一方の上支持部１２側から他方の上支持部１２側に向かって延びる。遮蔽部１７は上面が平面を成す。さらに、遮蔽部１７の上面は水平に対して、上着座部１１側から上支持部１２側に向かって下がる形で傾斜する。そして、遮蔽部１７は、図２、図４及び図５に示すように電子装置Ｅの上面の一部に覆い被さる。
【００３０】
下ブラケット２０は電子装置Ｅの下方から電子装置Ｅを支持する。下ブラケット２０は上ブラケット１０同様、例えば板金のプレス加工によって形成される。下ブラケット２０は下着座部２１、下支持部２２及び下ベース部２３を備える。
【００３１】
下着座部２１は設置場所の壁面Ｗに隣接する下ブラケット２０の端部に設けられる。下着座部２１は、図１に示すように正面から見て横方向の略中央部に配置される。下着座部２１は壁面Ｗと対向する平面に固定溝２１ａを備える。下着座部２１は不図示のネジが固定溝２１ａに挿入され、設置場所の壁面Ｗに接して固定される。
【００３２】
下支持部２２は電子装置Ｅに隣接する下ブラケット２０の端部に設けられる。下支持部２２は、図１に示すように正面から見て横方向の２箇所に所定間隔で配置される。２箇所の下支持部２２は各々、下ベース部２３に対して略直角に折れ曲がり、電子装置Ｅの一面と対向して平行に、上方に向かって所定長さで延びる。下支持部２２にはネジ２を用いて電子装置Ｅが取り付けられる。
【００３３】
下ベース部２３は下着座部２１から下支持部２２まで延びる平板状に構成される。下ベース部２３は開口部１５に対応する位置に配置される。下ベース部２３はその外形が、横方向の略中央部の下着座部２１から所定間隔で並ぶ２箇所の下支持部２２まで延びる略三角形状を有する。
【００３４】
ここで、電子装置Ｅについては、そのカバー部材ＣとシャーシＳとの隙間の領域Ｘ（図５参照）からの水の侵入と、領域Ｘの周辺への水の滴下と、を抑制したい。これに対して、上記第１実施形態のように、電子装置Ｅの支持構造１は上ブラケット１０が、電子装置Ｅの上面の一部、すなわち上記領域Ｘ及びその周辺に覆い被さる遮蔽部１７を有する。
【００３５】
この構成によれば、電子装置Ｅの、水の滴下、浸入を防止したい領域Ｘの上方に上ブラケット１０の遮蔽部１７を設けることができる。すなわち、電子装置Ｅ自体に、水の浸入を抑制するための庇、リブ、隔壁等を設ける必要が無い。したがって、電子装置Ｅの支持構造１は電子装置Ｅ自体の設置スペースをできるだけ小さくすることができ、且つ電子装置Ｅの内部への水の浸入を抑制することが可能になる。
【００３６】
また、上記構成の電子装置Ｅの支持構造１は、上ブラケット１０が上着座部１１、上支持部１２及び上ベース部１３を備える。この構成によれば、簡便な構成によって、電子装置Ｅ自体の設置スペースをできるだけ小さくすることができ、且つ電子装置Ｅの内部への水の浸入を抑制することが可能になる。さらに、上ベース部１３は、その上着座部１１側に水平に対して傾斜する溝状部１６を有するので、溝状部１６に水を集めることができる。これにより、排水効果を一層高めることができ、電子装置Ｅの内部への水の浸入を抑制することが可能になる。
【００３７】
また、支持構造１は、上ベース部１３及び遮蔽部１７が、上面が平面を成すとともに水平に対して傾斜する。この構成によれば、上ベース部１３の上面に滴下した水を傾斜によって所望の方向へと導くことができる。したがって、電子装置Ｅの、水の滴下、浸入を防止したい領域Ｘに対して遠ざかる方向に水を導くことが可能になる。
【００３８】
また、支持構造１は、上ベース部１３の外縁部に、上方に向かって延びるリブ１４を有する。この構成によれば、上ベース部１３の上面に滴下した水が意図しない箇所から下方へと落下することを防止することができる。したがって、電子装置Ｅの、水の滴下、浸入を防止したい領域Ｘに対して所望の方向へと水を導くことが可能になる。さらに、リブ１４を設けることによって、上ブラケット１０の強度を向上させることが可能になる。
【００３９】
また、支持構造１は、上ベース部１３が開口部１５を有するので、上ベース部１３の上面に滴下した水を所望の位置で下方へと落下させることができる。したがって、電子装置Ｅの、水の滴下、浸入を防止したい領域Ｘに対して水を近づけないようにすることが可能になる。
【００４０】
さらに、上記構成の電子装置Ｅの支持構造１は、下ブラケット２０が下着座部２１、下支持部２２及び下ベース部２３を備える。この構成によれば、簡便な構成によって、電子装置Ｅ自体の設置スペースをできるだけ小さくした状態で、電子装置Ｅの下方から電子装置Ｅを支持することができる。
【００４１】
＜２．第２実施形態＞
次に、第２実施形態について説明する。図６は、機器の支持構造１を示す部分斜視図である。なお、第２実施形態の基本的な構成は先に説明した第１実施形態と同じであるので、第１実施形態と異なる構成要素については以下で説明し、第１実施形態と共通する構成要素については詳細な説明を省略する。
【００４２】
第２実施形態の機器（電子装置Ｅ）の支持構造１は、図６に示す上ブラケット１０を備える。上ブラケット１０は上着座部１１、上支持部１２及び上ベース部１３を備える。さらに、上ベース部１３はリブ１４及び遮蔽部１７を備える。
【００４３】
なお、第２実施形態の上ベース部１３は、第１実施形態で見られた開口部を備えていない。これにより、上ベース部１３の上面に滴下した水が電子装置ＥのシャーシＳ側に落下することを防止することができる。
【００４４】
リブ１４は上ベース部１３の外縁部の全域にわたって設けられる。この構成によれば、上ベース部１３の横方向の外縁部から、電子装置Ｅの側方に向かって水が落下することを防止することができる。すなわち、上ベース部１３の上面に滴下した水を遮蔽部１７及び上支持部１２側に導くことが可能なる。したがって、すべての水を電子装置Ｅのカバー部材Ｃ側に、すなわち電子装置Ｅの、水の滴下、浸入を防止したい領域Ｘに対して遠ざかる方向に導くことができる。その結果、電子装置Ｅの内部への水の浸入を抑制する効果を高めることが可能になる。
【００４５】
また、リブ１４は遮蔽部１７の正面側の縁部の一部に設けられる。リブ１４は、例えば遮蔽部１７の正面側の縁部の、横方向の中央部を除く領域に設けられる。この構成によれば、遮蔽部１７において、遮蔽部１７の中央部から電子装置Ｅのカバー部材Ｃ側に水を導くことができる。したがって、例えば遮蔽部１７の左右両端部側に、特に水を導きたくない場合などにおいて、水の流れをコントロールすることが可能になる。
【００４６】
＜３．第３実施形態＞
次に、第３実施形態について説明する。図７は、機器の支持構造１を示す側面図である。図８は、機器の支持構造１を示す部分斜視図である。なお、第３実施形態の基本的な構成は先に説明した第１実施形態と同じであるので、第１実施形態と異なる構成要素については以下で説明し、第１実施形態と共通する構成要素については詳細な説明を省略する。
【００４７】
第３実施形態の機器（電子装置Ｅ）の支持構造１は、図７及び図８に示す上ブラケット１０を備える。上ブラケット１０は上着座部１１、上支持部１２及び上ベース部１３を備える。さらに、上ベース部１３はリブ１４、開口部１５、溝状部１６及び遮蔽部１７を備える。
【００４８】
上ベース部１３は上面が平面を成す。さらに、上ベース部１３の上面は、図７に示すように水平に対して、上支持部１２側から上着座部１１側に向かって下がる形で傾斜する。この構成によれば、上ベース部１３の上面に滴下した水を傾斜によって開口部１５の方向へと導くことができる。開口部１５は電子装置ＥのシャーシＳの外面よりも壁面Ｗに近い側に位置するので、すべての水をシャーシＳ側の、電子装置Ｅに滴下されない領域へと導くことができる。したがって、電子装置Ｅの内部への水の浸入を抑制する効果を高めることが可能になる。
【００４９】
リブ１４は遮蔽部１７の正面側の縁部の全域にわたって設けられる。この構成によれば、遮蔽部１７において、水が電子装置Ｅのカバー部材Ｃ側に落下することを防止することができる。したがって、電子装置Ｅの内部への水の浸入を抑制する効果をより一層高めることが可能になる。
【００５０】
＜４．第４実施形態＞
次に、第４実施形態について説明する。図９は、機器の支持構造１を示す側面図である。図１０は、機器の支持構造１を示す部分斜視図である。なお、図１０は、支持構造１を背面側（壁面Ｗ側）から見た部分斜視図である。また、第４実施形態の基本的な構成は先に説明した第１実施形態と同じであるので、第１実施形態と異なる構成要素については以下で説明し、第１実施形態と共通する構成要素については詳細な説明を省略する。
【００５１】
第４実施形態の機器（電子装置Ｅ）の支持構造１は、図９及び図１０に示す上ブラケット１０及び下ブラケット２０を備える。下ブラケット２０は下着座部２１、下支持部２２及び下ベース部２３を備える。
【００５２】
下ベース部２３は下着座部２１から下支持部２２まで延びる平板状に構成される。下ベース部２３は開口部１５に対応する位置に配置される。下ベース部２３はその外形が、横方向の略中央部の下着座部２１から所定間隔で並ぶ２箇所の下支持部２２まで延びる略三角形状を有する。下ベース部２３は上面が平面を成す。さらに、下ベース部２３の上面は水平に対して、下支持部２２側から下着座部２１側に向かって下がる形で傾斜する。この構成によれば、開口部１５から落下する水を下ベース部２３で受けることができる。そして、下ベース部２３の上面まで導かれた水を傾斜によってさらに所望の方向へと導くことができる。したがって、電子装置Ｅの下方において、水の流れをコントロールすることが可能になる。
【００５３】
さらに、下ベース部２３はリブ２４を備える。リブ２４は下ベース部２３の外縁部の略全域にわたって設けられる。リブ２４は所定の高さまで上方に向かって延びる。この構成によれば、下ベース部２３の上面まで導かれた水が意図しない箇所から下方へと落下することを防止することができる。したがって、電子装置Ｅの下方において、下着座部２１に向けて水を導くことが可能になる。さらに、リブ２４を設けることによって、下ブラケット２０の強度を向上させることが可能になる。
【００５４】
さらに、支持構造１は導水部材３０を備える。導水部材３０は上ブラケット１０と下ブラケット２０との間の、壁面Ｗと対向する電子装置ＥのシャーシＳの外面（電子装置Ｅの背面）に取り付けられる。導水部材３０は導水路３１を備える。導水路３１は上方から下方に向かって延びる。導水路３１の上部は横方向の両端部から中央部に向かって下がる形で傾斜する。導水路３１の下部は横方向の中央部において略垂直に延びる。
【００５５】
この構成によれば、上ベース部１３の開口部１５からシャーシＳと壁面Ｗとの間の領域に落下した水は導水部材３０の上部に滴下する。導水部材３０の上部に滴下した水は導水路３１を伝って下ベース部２３の上面の中央部に落下する。したがって、電子装置Ｅと壁面Ｗとの間の領域において、水の流れをコントロールすることが可能になる。
【００５６】
なお、導水部材３０は、壁面Ｗと対向するシャーシＳの外面の反対側の、カバー部材Ｃの外面（電子装置Ｅの正面）に設けても良い。この場合、下ブラケット２０の一部を、導水部材３０の下方まで電子装置Ｅの正面側に向かって延長することが好ましい。これにより、電子装置Ｅの正面側において導水部材３０を伝って落下した水を下ベース部２３で受けて、下着座部２１に向けて導くことが可能になる。
【００５７】
＜５．変形例＞
以上、本発明の実施形態について説明したが、この発明は上記の実施形態に限定されるものではなく、様々な変形が可能である。以下では、上記実施形態の全体に係る変形例について説明する。なお、上記実施形態の全ての要素と、以下で説明する形態の全ての要素とは、適宜組み合わせて実施することができる。
【００５８】
例えば上記実施形態では、機器の支持構造１が車載の電子装置Ｅに適用されることとしたが、機器の支持構造は家庭やオフィス、商店等で使用される装置等に適用されることとしても良い。
【符号の説明】
【００５９】
１    支持構造
１０    上ブラケット
１１    上着座部
１２    上支持部
１３    上ベース部
１４    リブ
１５    開口部
１６    溝状部
１７    遮蔽部
２０    下ブラケット
２１    下着座部
２２    下支持部
２３    下ベース部
２４    リブ
３０    導水部材
３１    導水路
Ｅ    電子装置（機器）
Ｗ    壁面（設置場所）
【図１】
2018182164.tif 000003
【図２】
2018182164.tif 000004
【図３】
2018182164.tif 000005
【図４】
2018182164.tif 000006
【図５】
2018182164.tif 000007
【図６】
2018182164.tif 000008
【図７】
2018182164.tif 000009
【図８】
2018182164.tif 000010
【図９】
2018182164.tif 000011
【図１０】
2018182164.tif 000012